(57)【要約】【課題】金属製反射板を備えたＲＦＩＤタグにおいて、そのデータの読取距離を拡大、もしくは読取距離の選択ができるＲＦＩＤタグホルダ及びＲＦＩＤ読取位置制限方法を提供する。【解決手段】貼付対象物５の情報を格納するパッシブタイプＲＦＩＤタグ１を搭載し、マイクロ波を使いＲＦＩＤタグ１が格納する情報を読み取るＲＦＩＤリーダ４に対するＲＦＩＤタグ１の背面位置にＶ字型金属製反射板３を設置したＲＦＩＤタグホルダ。Ｖ字型金属製反射板３のＶ字角度の変更が可能で、ＲＦＩＤリーダ４の読取距離に応じて、Ｖ字型金属製反射板３のＶ字角度が９０度〜１７０度の間で選択される。Ｖ字型金属製反射板３とＲＦＩＤタグ３との距離の変更が可能である。【選択図】図１
2008146472.tif 000002
【特許請求の範囲】
【請求項１】
貼付対象物の情報を格納するパッシブタイプＲＦＩＤタグを搭載するとともに、マイクロ波を使い前記ＲＦＩＤタグが格納する貼付対象物の情報を読み取るＲＦＩＤリーダに対するＲＦＩＤタグの背面位置にＶ字型金属製反射板を設置したＲＦＩＤタグホルダ。
【請求項２】
前記Ｖ字型金属製反射板のＶ字角度の変更が可能であり、前記ＲＦＩＤリーダの読取距離に応じて、前記Ｖ字型金属製反射板のＶ字角度が９０度〜１７０度の間で選択される請求項１記載のＲＦＩＤタグホルダ。
【請求項３】
前記Ｖ字型金属製反射板と前記ＲＦＩＤタグとの距離の変更が可能であり、前記マイクロ波の波長が２．４５ＧＨｚで、前記ＲＦＩＤリーダの読取距離に応じて、前記Ｖ字型金属製反射板とＲＦＩＤタグとの距離が１２ｍｍ〜４５ｍｍの間で選択される請求項１記載のＲＦＩＤタグホルダ。
【請求項４】
パッシブタイプＲＦＩＤタグが格納する情報を、マイクロ波を使って読み取るＲＦＩＤリーダに対する前記ＲＦＩＤタグの背面位置に設置されたＶ字型金属製反射板の角度を、前記ＲＦＩＤリーダの読取距離に応じて変更し、前記読取距離を制限するＲＦＩＤタグ読取距離制限方法。
【発明の詳細な説明】
【技術分野】
【０００１】
本発明は、ＲＦＩＤタグホルダ及びＲＦＩＤタグ読取距離制限方法に関し、特にＲＦＩＤとこのデータをリーダで読取る構成において、ＲＦＩＤタグの読取距離を拡大、もしくは読取距離の選択が可能な技術に関する。
【背景技術】
【０００２】
従来、ＲＦＩＤタグを使用しての物品管理は、管理の対象となる物品にＲＦＩＤタグを取り付け、ＲＦＩＤタグの情報をＲＦＩＤリーダで読取ることにより、物品の属性情報を管理しており、多様な提案がなされている。
非特許文献１の記事では、ＲＦＩＤリーダ（＝アンテナ）と２．４５ＧＨｚのマイクロ波を使ったパッシブタイプＲＦＩＤタグ（＝無線ＩＣタグ）の読取距離は、ＲＦＩＤタグの背面に平型金属製反射板（＝金属）を設置して拡大を実現している。しかし、平型金属製反射板だけでの読取距離拡大は約２００％である。
また、特許文献１では、金属製電波反射部材を非金属製コンテナ壁面の内側に設置しており、ＲＦＩＤタグはホルダに格納され、金属製電波反射部材とは非金属製コンテナの壁面を介して一定の距離になっている。このため、読取距離の拡大は可能であるが、読取距離の選択をする事はできない。さらに、特許文献１ではＲＦＩＤタグと金属製電波反射部材との間隔を調整する手段を示しているが、その場合の読取距離拡大も金属製電波反射部材を設置しない場合と比較し、非特許文献１の記事と同様に約２００％となっている。
【特許文献１】特開２００３−１９８４２２号公報
【非特許文献１】日経ＢＰ社「日経ＲＦＩＤテクノロジ」２００４年８月発行
【発明の開示】
【発明が解決しようとする課題】
【０００３】
ＲＦＩＤタグの読取距離は長い方が良いと考えられているが、ＲＦＩＤタグの背面に平型金属製反射板を設置するだけでは、通常の約２００％程度しか拡大できず、さらに長い読取距離を求められていた。また、貼付対象物やＲＦＩＤタグの利用目的によっては、読取距離を最大距離とせずに一定距離に制限する場合がある。
【０００４】
本発明は、ＲＦＩＤタグの読取距離を拡大、もしくは読取距離を制限可能なＲＦＩＤタグホルダ及びＲＦＩＤ読取距離制限方法を提供するものである。
【課題を解決するための手段】
【０００５】
本発明は、貼付対象物の情報を格納するパッシブタイプＲＦＩＤタグを搭載するとともに、マイクロ波を使い前記ＲＦＩＤタグが格納する貼付対象物の情報を読み取るＲＦＩＤリーダに対するＲＦＩＤタグの背面位置にＶ字型金属製反射板を設置したＲＦＩＤタグホルダである。
【０００６】
また、本発明は、前記Ｖ字型金属製反射板のＶ字角度の変更が可能であり、前記ＲＦＩＤリーダの読取距離に応じて、前記Ｖ字型金属製反射板のＶ字角度が９０度〜１７０度の間で選択されるＲＦＩＤタグホルダである。
【０００７】
そして、本発明は、前記Ｖ字型金属製反射板と前記ＲＦＩＤタグとの距離の変更が可能であり、前記マイクロ波の波長が２．４５ＧＨｚで、前記ＲＦＩＤリーダの読取距離に応じて、前記Ｖ字型金属製反射板とＲＦＩＤタグとの距離が１２ｍｍ〜４５ｍｍの間で選択されるＲＦＩＤタグホルダである。
【０００８】
更に、本発明は、パッシブタイプＲＦＩＤタグが格納する情報を、マイクロ波を使って読み取るＲＦＩＤリーダに対する前記ＲＦＩＤタグの背面位置に設置されたＶ字型金属製反射板の角度を、前記ＲＦＩＤリーダの読取距離に応じて変更し、前記読取距離を制限するＲＦＩＤタグ読取距離制限方法である。
【発明の効果】
【０００９】
本発明によれば、ＲＦＩＤリーダと２．４５ＧＨｚのマイクロ波を使ったパッシブタイプＲＦＩＤタグの背面に設置した平型金属製反射板を９０度〜１７０度折り曲げたＶ字型にし、そのＶ字型金属製反射板とＲＦＩＤタグとの距離を１２ｍｍ〜４５ｍｍの間で選択する事ができるＲＦＩＤタグであり、その読取距離を拡大、および読取距離を選択することができる。
【発明を実施するための最良の形態】
【００１０】
本発明を実施するための最良の形態を説明する。
以下に、本発明のＲＦＩＤタグホルダ及びＲＦＩＤタグ読取距離制限方法の実施例を、図１〜図３により説明する。
【００１１】
実施例を説明する。図１において、１は２．４５ＧＨｚのパッシブ型のＲＦＩＤタグ、２はＲＦＩＤタグホルダで、ＲＦＩＤタグ１を設置する切り欠き部を有し、切り欠き部から一定の距離ｂにＶ字型金属製反射板３を配置し、全体を例えばセラミックで包含する構成で形成している。４はＲＦＩＤリーダ、５は貼付対象物である。
【００１２】
図２はＶ字型金属製反射板３の配置方法に関する特性の説明図であり、Ｖ字型金属製反射板３とＲＦＩＤタグ１との距離ｂと、ＲＦＩＤタグ１とＲＦＩＤリーダ４との読取距離Ｌの関係を、Ｖ字型金属製反射板３の角度ａをパラメータにして示したものである。本図から、読取距離Ｌは、Ｖ字型金属製反射板３とＲＦＩＤタグ１との距離ｂが１２ｍｍ〜４５ｍｍの範囲で変化するとき、Ｖ字型金属製反射板３の角度ａを変化させることにより読取距離Ｌを拡大させ、あるいは読取距離Ｌを制限できることを確認できる。また、読取距離Ｌは、Ｖ字型金属製反射板３とＲＦＩＤタグ１との距離ｂが４４ｍｍでＶ字型金属製反射板３の角度ａが１１０度の場合に、１１５０ｍｍのピーク値が発生することが確認できる。本値は、ＲＦＩＤタグ１のみでＶ字型金属製反射板を使用しない場合の読取距離３００ｍｍに対して、約４００％となる。
【００１３】
図３は、Ｖ字型金属製反射板３の角度ａと、ＲＦＩＤタグ１とＲＦＩＤリーダ４との読取距離Ｌの関係を、図２においてＶ字型金属製反射板３とＲＦＩＤタグ１との距離ｂが２０ｍｍ及び４４ｍｍの場合について示したものである。本図から、ＲＦＩＤタグ１とＲＦＩＤリーダ４との読取距離Ｌは、Ｖ字型金属製反射板３とＲＦＩＤタグ１との距離ｂの相違により、ピーク値が発生するＶ字型金属製反射板３の角度ａが異なることが確認できる。Ｖ字型金属製反射板３とＲＦＩＤタグ１との距離ｂが２０ｍｍの場合は、読取距離Ｌのピーク値は、Ｖ字型金属製反射板３の角度ａが１５０度から１７０度付近で発生し、その前後では緩やかな曲線で変化している。Ｖ字型金属製反射板３とＲＦＩＤタグ１との距離ｂが４４ｍｍの場合は、読取距離Ｌのピーク値は、Ｖ字型金属製反射板３の角度ａが１００度から１２０度付近で発生し、その前後では緩やかな曲線で変化している。この結果より、読取距離Ｌを調整したい場合には、このような曲線関係を利用することができる。このようにＶ字型金属製反射板３は、図２及び図３に示すように、角度ａ及びＲＦＩＤタグ１との距離ｂを変化させ、所望する読取距離Ｌに拡大及び制限して配置する。
【００１４】
図４は、ＲＦＩＤタグ１の背面に平型金属製反射板６を設置した従来の読取距離拡大方法を示す。図５は、平型金属製反射板６の配置方法に関する説明図であり、平型金属製反射板６とＲＦＩＤタグ１との距離ｂと、ＲＦＩＤタグ１とＲＦＩＤリーダ４との読取距離Ｌの関係を示したものである。この時の読取距離の最大値８３８ｍｍに対しても、Ｖ字型金属製反射板での最大値は約１４０％となる。
【００１５】
すなわち、ＲＦＩＤタグ１とＲＦＩＤリーダ４との読取距離Ｌは、Ｖ字型金属製反射板３の角度ａを１１０度、Ｖ字型金属製反射板３とＲＦＩＤタグ１との距離ｂを４４ｍｍとすることにより従来の方法と比較して最大値を大幅に拡大することが出来る。また、ＲＦＩＤタグ１とＲＦＩＤリーダ４との読取距離Ｌを最大値まで拡大する必要がない場合は、Ｖ字型金属製反射板３とＲＦＩＤタグ１との距離ｂを４４ｍｍより小さく、例えば２０ｍｍに設定し、ホルダの高さを低くする事ができ、コンパクトな専用ホルダを設計できる。
【００１６】
ここで、専用ホルダの材質としては、セラミックス、硬質ゴム、プラスチック、ポリウレタン、木、紙等非金属が適用される。また、金属製反射板の材質としては、ステンレス、アルミニウム、鉄の金属箔または金属板が適用される。
【００１７】
専用ホルダは外皮と内部充填物を変えた組合せ構造も適用される。更には内部を空洞とする構造も適用できる。
【図面の簡単な説明】
【００１８】
【図１】本実施例のリーダとＲＦＩＤタグ、Ｖ字型金属製反射板、ホルダ、貼付対象物の鳥瞰図。
【図２】図１で示す本実施例で測定した読取距離特性の説明図。
【図３】図１で示す本実施例で、距離ｂを一定（２０ｍｍと４４ｍｍ）にし角度ａを変化させ測定した読取距離特性の説明図。
【図４】従来技術のリーダとＲＦＩＤタグ、平型金属製反射板の鳥瞰図。
【図５】図５で示す実施例で測定した読取距離特性の説明図。
【符号の説明】
【００１９】
１．ＲＦＩＤタグ
２．ホルダ
３．Ｖ字型金属製反射板
４．ＲＦＩＤリーダ
５．貼付対象物
６．平型金属製反射板
【図１】
2008146472.tif 000003
【図２】
2008146472.tif 000004
【図３】
2008146472.tif 000005
【図４】
2008146472.tif 000006
【図５】
2008146472.tif 000007